(57)【特許請求の範囲】
【請求項１】
レール上を走行して機材を搬送する軌道用手動搬送台車であって、手動操作用のハンドルを備えた荷台の、前後の左右両側に、地上走行用の内車輪とレール走行用の外車輪を互いに同軸で、しかも、前記レールの頭部の幅より短い離開距離をおいて設け、内車輪は、前記外車輪がレール上を転動するときに、軌間内に位置して空転する、前記外車輪より大径なタイヤで構成し、
前記外車輪の周面には、凹穴を列設する一方、
前記荷台の後部側の一方の車輪体の近傍に支持させた支持体に、連動ワイヤの操作によって進退する制動片を支持させ、該制動片を前記外車輪の周面に列設された凹穴に係離させることにより前記外車輪を制動したり解放するブレーキ装置を設け、
当該ブレーキ装置は、操作片を操作し前記支持体に設けたばね装置に抗して前記制動片を前記凹穴から離脱させることにより前記外車輪の制動状態を解放し、前記操作片から指先を離すことにより、前記ばね装置により前記制動片が適宜の前記凹穴に係合して、前記外車輪の転動を規制するように構成したことを特徴とする軌道用手動搬送台車。
【発明の詳細な説明】
【技術分野】
【０００１】
本発明は、例えば、事故現場において、レール上を走行させて機材を搬送するために用いる軌道用手押し搬送台車に関するものである。
【背景技術】
【０００２】
具体例を挙げるまでもなく、機材を搬送するものとして、軌道用台車（例えば、特許文献１）や機材運搬ネコ車があり、前者は前後の左右両側に、レール上を転動する専用の車輪を用いることによりレール上を円滑に移動できるようにし、積載能力があるとする利点を備えている。また、後者は軽量のため載線作業が簡単であるという利点がある。
【０００３】
しかしながら、これらはいずれも、現場に到着後、踏切などから線路内に進入して載線（レール上に車輪において載せた）後、機材を積載して現場の適所へと搬送しなければならない。すなわち、トラックなどで当該車を搬送した個所から載線するまでの間、車輪は、専らレール上を転動する構成を採るので、手先で保持して運ぶ必要があり、地上での移動に支障をきたしていた。
【０００４】
本発明は、斯様な従来例の欠点に着目し、軌道（鉄道線路）においても、地（陸）上においても移動が支障なく行え、しかも、使用勝手が良好な軌道用手押し搬送車を提供することを目的として創案したものである。
【先行技術文献】
【特許文献】
【０００５】
【特許文献１】特開２００２−３３１９２７号公報
【発明の概要】
【課題を解決するための手段】
【０００６】
レール上を走行して機材を搬送する軌道用手動搬送台車であって、手動操作用のハンドルを備えた荷台の、前後の左右両側に、地上走行用の内車輪とレール走行用の外車輪を互いに同軸で、しかも、前記レールの頭部の幅より短い離開距離をおいて設け、内車輪は、前記外車輪がレール上を転動するときに、軌間内に位置して空転する、前記外車輪より大径なタイヤで構成し、前記外車輪の周面には、凹穴を列設する一方、前記荷台の後部側の一方の車輪体の近傍に支持させた支持体に、連動ワイヤの操作によって進退する制動片を支持させ、該制動片を前記外車輪の周面に列設された凹穴に係離させることにより前記外車輪を制動したり解放するブレーキ装置を設け、当該ブレーキ装置は、操作片を操作し前記支持体に設けたばね装置に抗して前記制動片を前記凹穴から離脱させることにより前記外車輪の制動状態を解放し、前記操作片から指先を離すことにより、前記ばね装置により前記制動片が適宜の前記凹穴に係合して、前記外車輪の転動を規制するように構成する。
【発明の効果】
【０００７】
本発明によれば、地上の移動に際してタイヤで構成する内車輪のみが地上に接して転動するから、支障なく地上での移動を行え、しかも、荷台の前後の左右両側それぞれに他と独立した状態でタイヤである内車輪が存するから方向制御が容易な搬送台車を提供できる。
【０００８】
また、軌道（レール）上の走行に際しては、内車輪が軌間内にあってフランジの働きをして外車輪の脱線を防ぎ、従って、フランジのないローラ体を車輪として適用でき、コスト的に安価な製品を提供できる。
【０００９】
加うるに、軌陸いずれにも不都合なく移動できるから、必要機材を現場で予め積載したまま運び、現場到着後にそのまま陸上をゴム車輪である内車輪を利用して移動し（通常、踏切りまで）、載線が可能となり、常に同じ機材を積載して置き、緊急時に速やかに現場の軌道上に機材を運ぶことが可能となり、実用上、有効である。また、外車輪の周面には、凹穴を列設する一方、荷台の後部側の一方の車輪体の近傍に支持させた支持体に、連動ワイヤの操作によって進退する制動片を支持させ、該制動片を前記外車輪の周面に列設された凹穴に係離させることにより外車輪を制動したり解放するブレーキ装置を設け、当該ブレーキ装置は、操作片を操作し前記支持体に設けたばね装置に抗して制動片を凹穴から離脱させることにより外車輪の制動状態を解放し、操作片から指先を離すことにより、ばね装置により制動片が適宜の凹穴に係合して、外車輪の転動を規制するように構成したため、本発明に係る軌道用手動搬送台車をレール上に放置した場合でも、ブレーキ装置の作用により軌道用手動搬送台車が逸走することを防止できる。
【図面の簡単な説明】
【００１０】
【図１】正面図。
【図２】平面図。
【図３】底面図。
【図４】図１のｘ−ｘ線略示断面図。
【図５】使用状態を示す正面図。
【図６】他の使用状態を示す側面図。
【発明を実施するための形態】
【００１１】
図面は本発明に係る軌道用手押し搬送車の一実施形態を示し、実施形態の軌道用手押し搬送車Ａは、手動操作用ハンドル１を着脱自在に取付けた荷台２と該荷台２の下面の前後の、左右両側にそれぞれ設けた車輪体３，３，３，３で構成する。
【００１２】
荷台２は、横桟２ａと縦桟２ｂを互いに溶接し、前後両端に起立部２ｗ，２ｗ´を相対設した格子体で構成し、格子体で構成することにより、起立部２ｗ，２ｗ´間に介在させて載置した搬送機材Ｌを、ロープを横桟２ａや縦桟２ｂに引っ掛けて縛り付けられるようにして、搬送機材Ｌの大小を問わず確実に保持して搬送できるようにしてある。
【００１３】
また、荷台２の前記後端側起立部２ｗ´を幅方向中央部には、上面開口のケース状の取付け部４を設け、該取付け部４に、正面視Ｔ字形の脚杆部１ａと把手部１ｂとで成る、前記手動操作用ハンドル１の脚杆部１ａを嵌挿し、取付け部４に螺合した止着ボルト５の先端を外部から操作して該脚杆部１ａを締付け、着脱自在に固定できるようにしてある。
【００１４】
前記車輪体３は、取付け部片６ａの両側に支持部片６ｂ,６ｂを相対設して成る支持枠６の支持部片６ｂ，６ｂ間に車軸７をわたして設け、該車軸７に内側車輪８と外側車輪９を回動自在に支持させて構成したものである。
【００１５】
そして、車輪体３は、前記台枠１の下面の前後両端部の左右両側のそれぞれに支持枠６の取付け部片６ａを溶接して配設され、配設位置は、各車輪体３の外側車輪９をレールＲ上に載せたとき、各内側車輪８が該外側車輪９に隣接してレールＲの軌間Ｓ内に位置する関係にしてある（図５）。
【００１６】
そして、図４で示すように、実施形態の内側車輪８は、車輪リム８ｂにタイヤ（ゴム）８ａを組付けて構成し、前記車軸７に嵌めたスリーブ（すべり軸受け）１０に外側から嵌め込んだものである。また、外側車輪９は硬質合成樹脂製のローラ体で成り、ベアリング（転がり軸受け）１１を介して前記車軸７に取付けてある。
【００１７】
内外車輪８，９は互いに同軸（車軸７）で自在に回動し、内側車輪８を外側車輪９より外径を大きくしてあり、外側車輪９がレールＲ上を転動するとき、内側車輪８は接地することなく空転し（図５）、内側車輪８が踏面において地上に接地して回動するときは、外側車輪９は地上に接地することのない（図６）関係にしてある。
【００１８】
また、内側車輪８は、レールＲ，Ｒの軌間Ｓ内で、しかも、レールＲと隣接するように配され、外側車輪９との車軸７に沿う離開距離がレールＲの頭部Ｒａの横幅より短くしてある。このことにより、内側車輪８は外側車輪９のフランジの役割をして、レールＲからの脱輪が防止される。
【００１９】
車軸７は、支持枠６の支持部片６ａ，６ａ間にわたしてナット７ｂを螺合したボルト体で構成するが、これは、経時変化の損傷による内、外車輪８，９の交換を簡易に行うためで、車輪８，９の経時変化に対する対応つまり交換を無視すれば、支持部片６ａ，６ａにわたして棒杆体であれば良い。
【００２０】
そして、トラックなどで現場に搬送後、地上に下ろして、所要の機材（物品）Ｌを積載後、線路（軌道）の進入個所（踏切など）まで内側車輪８を利用して地上を移動後、外側車輪９をレールＲ上に載車して該車輪９を利用して現場に移動し、前記機材Ｌを搬送するようにして用いるのである（搬送車Ａの保管場所において、荷台２上に必要機材、例えば、脱輪事故の場合に、修復するために必要な工具等の機材を積載した状態にしておき、事故の通報を受けたとき、そのままトラックに積載し、現場へ直行することができる）。
【００２１】
なお、図６で示す符号２０はブレーキ装置を示し、ブレーキ装置２０は、荷台２の後部側の一方の車輪体３の近傍に支持させた支持体２０１に、連動ワイヤ２０２の操作によって進退する制動片２０３を支持させ、該制動片２０３が係離する凹穴（図示省略）を外車輪９の周面に列設する一方、制動片２０３に先端を接続した前記連動ワイヤ２０２の後端を脚杆１ａを経て（ワイヤ２０２の中間部を脚杆１ａに支持させて）、操作ハンドル１の把手部１ｂに導き、把手部１ｂに支持させた操作片２０４に接続して構成したものである。このブレーキ装置２０は、操作片２０４を操作して支持体２０１に設けたばね装置に抗して制動片２０３を前記凹穴から離脱させることにより外車輪９の制動状態を解放し、操作片２０４から指先を離すことにより、ばね装置により制動片２０３が適宜の凹穴に係合して、外車輪９の転動を規制するようにしてある。すなわち、レール頭部Ｒａに載車状態で、搬送車Ａを放置したとき、このブレーキ装置２０の作用により逸走し、無用な事故の発生を防ぐようにしてある。
【符号の説明】
【００２２】
１      操作ハンドル
２      荷台
８      内車輪
８ａ    タイヤ
９      外車輪
Ｌ      機材
Ｒ      レール
Ｒａ    レール頭部
【図１】
0005779036.tif 000002
【図２】
0005779036.tif 000003
【図３】
0005779036.tif 000004
【図４】
0005779036.tif 000005
【図５】
0005779036.tif 000006
【図６】
0005779036.tif 000007